(57)【要約】【課題】自然物がかもし出す雰囲気を有効に活用して、生け花等を豪華に見せるフラワースタンドを提供することを目的とする。【解決手段】観賞物１０を設置することができる観賞物鉢２０と、観賞物１０を照明する光源３０と、光源３０から発する光を自然的な雰囲気で遮蔽しかつ光源３０を保持する装飾傘４０と、観賞物鉢２０に固定され装飾傘４０を支える支持部５０と、を備えたフラワースタンド。【選択図】図１
0003146152.tif 000002
【実用新案登録請求の範囲】
【請求項１】
観賞物を設置することができる観賞物鉢と、
前記観賞物を照明する光源と、
前記光源から発する光を自然的な雰囲気で遮蔽しかつ前記光源を保持する装飾傘と、
前記観賞物鉢に固定され前記装飾傘を支える支持部と、
を備えたフラワースタンド。
【請求項２】
請求項１に記載のフラワースタンドであって、
前記観賞物鉢と前記装飾傘と支持部が木製であることを特徴とする請求項１に記載のフラワースタンド。
【請求項３】
前記観賞物が、生け花、花または観賞植物の鉢植え、造花、観賞用魚類水槽である、請求項１又は２のいずれかに記載のフラワースタンド。
【考案の詳細な説明】
【技術分野】
【０００１】
本考案は、高級店舗・高級住宅などに設置されるフラワースタンドに係わり、特に自然物がかもし出す雰囲気を有効に活用するフラワースタンドに関する。
【背景技術】
【０００２】
従来、生け花等で人の目を引き、良い印象を与える工夫がなされてきた。例えば、フラワースタンドの脚部の装飾性を向上させることにより、フラワースタンド全体の見栄えを良くし、さらに、脚部に電飾を設け、昼夜を問わず人の目を店舗の方向に引き寄せることができるフラワースタンドが提案されている（実用新案文献１等参照）。
【０００３】
また、照明器具であるダウンライトを玄関収納に組み込むことで、意匠性の向上を図るとともに、花瓶等の飾り物を効果的に照明することができるダウンライト付き玄関収納構造が提案されている（特許文献２等参照）。
【特許文献１】実用新案登録第３０３２２７６号公報
【特許文献２】特開２００２−８５１７４号公報
【考案の開示】
【考案が解決しようとする課題】
【０００４】
しかし、自然物がかもし出す雰囲気を有効に活用するフラワースタンドに関する例はみあたらない。本考案は、自然物がかもし出す雰囲気を有効に活用して、生け花等を豪華に見せるフラワースタンドを提供することを目的とする。
【課題を解決するための手段】
【０００５】
本考案者は、自然物がかもし出す雰囲気を有効に活用することの有用性を見出し、下記の考案を完成するに至った。
【０００６】
（１）  観賞物を設置することができる観賞物鉢と、前記観賞物を照明する光源と、前記光源から発する光を自然的な雰囲気で遮蔽しかつ前記光源を保持する装飾傘と、前記観賞物鉢に固定され前記装飾傘を支える支持部と、を備えたフラワースタンド。
【０００７】
（１）の考案に係るフラワースタンドは、観賞物を設置することができる観賞物鉢と、前記観賞物を照明する光源と、前記光源から発する光を自然的な雰囲気で遮蔽しかつ前記光源を保持する装飾傘と、前記観賞物鉢に固定され前記装飾傘を支える支持部と、を備えるので、高級店舗・高級住宅などに設置が容易である。また、一体となっているので観賞物に対応して店舗等の目的に対応した適切な位置に配置することができる。
【０００８】
（２）  （１）に記載のフラワースタンドであって、前記観賞物鉢と前記装飾傘と支持部が木製であることを特徴とする（１）に記載のフラワースタンド。
【０００９】
（２）の考案に係るフラワースタンドは、木製であるので自然の雰囲気をかもし出すことができ、見る人に安らぎ感を与える利点がある。木製は自然物をそのまま用いても良いし、加工して用いてもよい。
【００１０】
（３）  前記観賞物が、生け花、花または観賞植物の鉢植え、造花、観賞用魚類水槽である、（１）又は（２）のいずれかに記載のフラワースタンド。
【００１１】
（３）の考案に係るフラワースタンドは、生け花、花または観賞植物の鉢植え、造花、観賞用魚類水槽に対応することができるので、自然の雰囲気をかもし出すことができるとともに、様々な用途に使用することができる。
【考案の効果】
【００１２】
本考案によれば、観賞物を設置することができる観賞物鉢と、観賞物を照明する光源と、光源から発する光を自然的な雰囲気で遮蔽しかつ光源を保持する装飾傘と、観賞物鉢に固定され前記装飾傘を支える支持部と、を備えるので、高級店舗・高級住宅などに設置が容易である。また、一体となっているので店舗等の目的に対応した観賞物を選択し、適切な位置に配置することができるフラワースタンドを提供することができる。
【考案を実施するための最良の形態】
【００１３】
以下、本考案を実施するための最良の形態について図を参照しながら説明する。なお、これはあくまでも一例であって、本考案の技術的範囲はこれに限られるものではない。
【００１４】
［第１の実施例］
図１は、本考案の一実施形態に係るフラワースタンドの斜視図である。図１に示すように、フラワースタンド１は、観賞物１０を設置することができる観賞物鉢２０と、観賞物を照明する光源３０と、光源３０から発する光を自然的な雰囲気で遮蔽し光源３０を保持する装飾傘４０と、観賞物鉢２０に固定され装飾傘４０を支える支持部５０と、がある。
【００１５】
観賞物鉢２０と、装飾傘４０と、支持部５０とは、木製により製作することができる。図１に示すように、自然木を加工して製作することが望ましい。自然的な雰囲気が出るからである。しかし、これに限られるものではない。また、観賞物鉢２０は、図１のように自然木の根に近い部分を利用して製作することが望ましい。根に近い部分を使えば下側が太くなっており、設置した場合に物理的に安定するからである。
【００１６】
光源３０は、白熱電球を用いても良いし、蛍光灯またはＬＥＤ等を使用しても良い。観賞物１０の性格に対応して適切な色と照度の光源３０を選択することができる。また、雰囲気を変えるために光源を適切に選択することもできる。なお、将来適切な色、照度の光源が実用化されれば当然採用することができる。
【００１７】
装飾傘４０は、図１のように木をくりぬいて製作することができる。また、自然的な雰囲気が出るように、自然木の木目に合わせてところどころで光源３０よりの光がこぼれるような隙間３２、３４、３６を設けることが望ましい。
【００１８】
支持部５０は、図１に示すように観賞物鉢２０と装飾傘４０とを連結する。一本の木から製作することができるが、途中で接続しても良い。また、支持部５０は、ところどころに節５２、５４、５６、５８の部分を設けることにより自然の雰囲気を生成することができる。
【００１９】
以上の様にして、自然的な雰囲気をだして、高級店舗・高級住宅などに設置が容易である。また、一体となっているので観賞物に対応して適切な位置に配置することができるフラワースタンドを提供することができる。
【００２０】
［第２の実施例］
図２は、本考案の別の一実施形態に係るフラワースタンドの斜視図である。第１の実施例と装飾傘１４０が別の自然木を使用したことと、支持部１５０を幅広くしたことが異なる。図２に示すように、フラワースタンド１００は、観賞物１１０を設置することができる観賞物鉢１２０と、観賞物を照明する光源１３０と、光源１３０から発する光を自然的な雰囲気で遮蔽し光源１３０を保持する装飾傘１４０と、観賞物鉢１２０に固定され装飾傘１４０を支える支持部１５０と、がある。
【００２１】
図２に示すように、自然木を加工して製作することにより自然的な雰囲気を出すことができる。また、観賞物鉢１２０は、実施例１と同様に自然木の根に近い部分を利用して製作することが望ましい。根に近い部分を使えば下側が開いており、設置した場合に物理的に安定するからである。
【００２２】
このように、構成しても、自然的な雰囲気を出して、高級店舗・高級住宅などに設置が容易である。また、一体となっているので観賞物に対応して適切な位置に配置することができるフラワースタンドを提供することができる。
【００２３】
［第３の実施例］
図３は、本考案の別の一実施形態に係るフラワースタンドの斜視図である。第１の実施例と装飾傘２４０が別の自然木を使用したことと、観賞物鉢２２０を広くして観賞効果のある位置に置くことができる点が異なる。図３に示すように、フラワースタンド２００は、観賞物２１０を設置することができる観賞物鉢２２０と、観賞物を照明する光源２３０と、光源２３０から発する光を自然的な雰囲気で広い観賞物鉢２２０全体を照明し光源１３０を保持する装飾傘２４０と、観賞物鉢２２０に固定され装飾傘２４０を支える支持部２５０と、がある。また、装飾傘２４０が別の自然木を使用していることは、図２の第２の実施例と同一である。
【００２４】
図３に示すように、自然木を加工して製作することにより自然的な雰囲気を出すことができる。また、装飾傘２４０が別の自然木を使用し支持部２５０と接合部２４５で接合されている。さらに、観賞物鉢２２０の中央は、別の自然木を使用した支持部２５０を勘合部２２５ではめ合わせて固定して全体を安定させている。
【００２５】
このように、構成しても、自然的な雰囲気を出して、高級店舗・高級住宅などに設置が容易である。また、一体となっているので観賞物に対応して適切な位置に配置することができるフラワースタンドを提供することができる。
【００２６】
［第４の実施例］
図４は、本考案の別の一実施形態に係るフラワースタンドの斜視図である。第１の実施例と一本の自然木より切削したいわゆる一刀彫である点は同じであるが、装飾傘３４０が支持部３５０と中央部３４５で繋がっていることと、支持部３５０を太くして自然の雰囲気を高めるために、節３５２、節３５４を削りだしたこと、観賞物鉢３２０を支持部３５０の太い部分にカンガルーの袋のようにくり抜いて設けた点が異なる。図４に示すように、フラワースタンド３００は、観賞物３１０を設置することができる観賞物鉢３２０と、観賞物を照明する光源３３０と、光源３３０から発する光を自然的な雰囲気で遮蔽し光源３３０を保持する装飾傘３４０と、観賞物鉢３２０に固定され装飾傘３４０を支える支持部３５０と、がある。
【００２７】
図４に示すように、自然木を加工して製作することにより自然的な雰囲気を出すことができる。また、観賞物鉢３２０は、実施例２と同様に自然木の根に近い部分を利用して製作することが望ましい。根に近い部分を使えば下側が開いており、根を切り落として設置すれば物理的に安定するからである。また、自然木の内部は全体の重量を軽くするために削って空洞にすることが望ましい。
【００２８】
このように、構成しても、自然的な雰囲気を出して、高級店舗・高級住宅などに設置が容易である。また、一体となっているので観賞物に対応して適切な位置に配置することができるフラワースタンドを提供することができる。
【００２９】
以上、本考案の実施形態を用いて説明したが、本考案の技術的範囲は上記実施形態に記載の範囲には限定されない。上記実施形態に、多様な変更または改良を加えることができる。たとえば、本考案は自然木を用いる例で説明をしたが、同等な雰囲気を持つプラスチック、紙を用いても良い。そのような変更または改良を加えた形態も本考案の技術的範囲に含まれ得ることが、特許請求の範囲の記載から明らかである。
【図面の簡単な説明】
【００３０】
【図１】本考案の一実施形態に係るフラワースタンドの斜視図である。
【図２】本考案の別の一実施形態に係るフラワースタンドの斜視図である。
【図３】本考案の別の一実施形態に係るフラワースタンドの斜視図である。
【図４】本考案の別の一実施形態に係るフラワースタンドの斜視図である。
【符号の説明】
【００３１】
１０  観賞物
２０  観賞物鉢
３０  光源
４０  装飾傘
５０  支持部
【図１】
0003146152.tif 000003
【図２】
0003146152.tif 000004
【図３】
0003146152.tif 000005
【図４】
0003146152.tif 000006